(57)【要約】【課題】ペットボトルや瓶などの容器に巻き付けてあるラベルを剥がす作業に手間がかからず、容器の扱いが自由で、よって手にけがをしにくく、装置が小型で、円形断面以外の断面形状の容器も対象にできるラベル剥がし器を提供する。【解決手段】ラベル剥がし器１の本体３を、磁石１１などで壁面類に固定し、ラベルが設けられた容器を両手で持ち、この容器のラベルの部分を、本体３の曲面５のスリット１３から露出している円形刃１５に押し当てた状態で、容器を回転させる。これにより、円形刃１５は容器に接しながら回転し、ラベルをカットできる。また、このラベル剥がし器１を使用しないときには、円形刃１５を切替機構１９により後退させ露出をなく。【選択図】図１
2010036289.tif 000002
【特許請求の範囲】
【請求項１】
本体と、この本体を壁面類に固定する固定手段と、前記本体を部分的に構成し円筒の一部からなる曲面と、この曲面の周方向に形成されるスリットと、前記曲面の裏側に設置され前記スリットから一部を露出する円形刃と、この円形刃を後退させ前記露出をなくす切替機構と、を有することを特徴とするラベル剥がし器。
【請求項２】
前記壁類は鉄製であり、前記固定手段は磁石であり、前記切替機構は、前記円形刃の前記円筒の軸と平行な支持軸の延長された両端と、この両端がガイドされるために、前記円筒の軸方向に形成され、前記円筒の半径を含む面による断面形状が逆略Ｖ字形状の溝と、を有してなり、この逆略Ｖ字形状の一方の辺部は、前記円筒の一部からなる曲面の近傍に沿って形成され、他方の辺部は、前記曲面から離れていく方向へ形成されることを特徴とする請求項1に記載のラベル剥がし器。
【発明の詳細な説明】
【技術分野】
【０００１】
この発明は、ペットボトルや瓶などの容器に巻き付けてあるラベルを剥がすための機器の構造に関する。
【背景技術】
【０００２】
ペットボトルや瓶などの容器には、ラベルが帯状に巻き付けて設けられる。これらの使用済みの容器をリサイクルするには、ラベルを剥がす必要がある。
ラベルを剥がす道具としては、包丁やカッターナイフ、あるいは先の尖った金属製の専用器具が用いられることがある。
また、下記の特許文献１には、下図及びその説明に示すように、瓶のラベルを円形の回転する刃でカットする装置が記載される。
【特許文献１】特開平10-244235
【発明の開示】
【発明が解決しようとする課題】
【０００３】
しかしながら、（１）包丁やカッターナイフ、先の尖った金属製の器具では、きつく巻き付けてあるラベルを剥がす作業に手間がかかる。（２）更に、作業中は、片方の手に容器を、他方の手に器具を持つ必要があり、容器の扱いが不自由で、よって手にけがをしやすい。また、（３）特許文献１のように円形の回転する刃で、帯状のラベルを横断するようにカットすれば、作業が楽になるものの、特許文献１の装置は、刃を回転するモーター、容器を回転するため複数のローラーなどが設けられ、装置が大型化してしまう。（４）更に、特許文献１の装置は、円形断面の容器を対象にしており、他の断面形状の容器は対象にできない。
【０００４】
この発明は、以上の問題点を解決するために、ラベルを剥がす作業に手間がかからず、容器の扱いが自由で、よって手にけがをしにくく、装置が小型で、円形断面以外の断面形状の容器も対象にできるラベル剥がし器を提供することを目的とする。
【課題を解決するための手段】
【０００５】
以上の課題を解決するために、第一発明は、本体と、この本体を壁面類に固定する固定手段と、前記本体を部分的に構成し円筒の一部からなる曲面と、この曲面の周方向に形成されるスリットと、前記曲面の裏側に設置され前記スリットから一部を露出する円形刃と、この円形刃を後退させ前記露出をなくす切替機構と、を有することを特徴とするラベル剥がし器ある。
【０００６】
第二発明は、前記壁類は鉄製であり、前記固定手段は磁石であり、前記切替機構は、前記円形刃の前記円筒の軸と平行な支持軸の延長された両端と、この両端がガイドされるために、前記円筒の軸方向に形成され、前記円筒の半径を含む面による断面形状が逆略Ｖ字形状の溝と、を有してなり、この逆略Ｖ字形状の一方の辺部は、前記円筒の一部からなる曲面の近傍に沿って形成され、他方の辺部は、前記曲面から離れていく方向へ形成されることを特徴とするラベル剥がし器である。
【発明の効果】
【０００７】
第一、又は第二発明のラベル剥がし器によれば、本体を壁面類に固定し、ラベルが設けられた容器を両手で持ち、この容器のラベルの部分を、本体の曲面のスリットから露出している円形刃に押し当てた状態で、容器を動かす。これにより、円形刃はラベルをカットできる。また、このラベル剥がし器を使用しないときには、円形刃を後退させ露出をなくすことで、安全が保たれる。
【０００８】
よって、（１）円形刃で、帯状のラベルを横断するようにカットできるので、ラベルを剥がす作業に手間がかからない。（２）ラベル剥がし器を壁面類に固定するので、ラベルが設けられた容器を両手で持て、容器の扱いが自由である。また、使用しないときには、円形刃を後退させ露出をなくせる。よって手にけがをしにくい。（３）また、このラベル剥がし器は、刃を回転するモーター、容器を回転するため複数のローラーなどが設けられておらず、装置が小型である。（４）更に、円筒の一部からなる曲面から露出する円形刃に、ラベルの部分を押し当てた状態の容器を動かすことで、曲面に案内され、円形断面以外の断面形状の容器も、容易に対応できる。
【発明を実施するための最良の形態】
【０００９】
この発明の実施形態を、図１から図３に示す。
［全体概略］
このラベル剥がし器１の本体３の全体形状は、いわば半円筒のかまぼこ形をなし、そのかまぼこを、横にして壁に取付けた如き形状を有する。すなわち、円筒の一部からなる曲面５を前面に有する。その円筒の軸は水平である。本体３の側面７は平面である。
【００１０】
本体３の背面９には、固定手段として磁石１１が設けられ、鉄製の壁類、例えば冷蔵庫のドアに吸着する。
曲面５の中央のやや上部には、周方向、すなわち上下方向にスリット１３が形成される。
このスリット１３から、円形刃１５の一部が露出する。円形刃１５は、曲面５を形成する円筒の軸と平行な支持軸１７を有する。この円形刃１５は、切替機構１９によって後退し露出をなくす。
【００１１】
［切替機構１９］
切替機構１９は、円形刃１５の支持軸１７の両端を、人手によって溝２１の中を移動することにより、円形刃１５をスリット１３から露出させたり後退させたりする構造を有する。
【００１２】
すなわち、円形刃１５と一体に設けられた支持軸１７の両端は延長され、本体３の左右幅よりも、大きい。円形刃１５は、支持軸１７に対して回転する。この支持軸１７の両端をガイドするために、溝２１が形成される。
この溝２１は、曲面５の円筒の軸方向、すなわち本体３の左右方向に、連続する形状で形成される。この溝２１を、曲面５の円筒の半径を含む面、すなわち円筒を横断する横断面で切った断面形状は、逆略Ｖ字形状２３である。この逆略Ｖ字形状２３の一方の辺部２５は、曲面５の近傍に沿って、曲線で形成される。逆略Ｖ字形状２３の他方の辺部２７は、曲面５から離れ、円筒の略中心へ向かっていく方向へ形成される。
【００１３】
逆略Ｖ字形状２３の各辺部の幅は、Ｖ字形状の端部２９では、狭くなり、円形刃１５の支持軸１７の直径とほぼ同じであり、回転が阻止される。Ｖ字形状の中央部では、広くなり、支持軸１７の移動が容易である。
溝２１の左右方向の中央には、円形刃１５が移動できる縦スペース３１（図２）が形成される。縦スペース３１は、左右方向の溝２１を上下に横切る形の平面的な空間である。
【００１４】
「使用方法」
この実施形態のラベル剥がし器１によれば、本体３を磁石１１で冷蔵庫のドア等の壁面類３２に固定する。そして、円形刃１５の支持軸１７を、逆略Ｖ字形状２３の溝２１の中で移動し（図中矢印Ｄ１）、逆略Ｖ字形状２３の一方の辺部２５、すなわち曲面５の近傍に沿う辺部の先端29に、嵌め込んで固定する。これにより円形刃１５がスリット１３から露出する（図３）。円形刃１５も支持軸１７も回転はしない。
【００１５】
そして、ラベル３５が設けられた容器３３である大型ペットボトルを両手で持ち、この容器３３のラベル３５の部分を、スリット１３から露出している円形刃１５に押し当てた状態で、容器３３を移動し回転させて、下方へ動かす（図中矢印Ｄ３）。これにより、円形刃１５は、容器３３に接する（図中矢印Ｄ４）。ラベル３５は円形刃１５と容器３３の間に挟まれカットされる。このカットは、容器３３の周囲に帯状に巻かれたラベル３５を横断するように行う。
【００１６】
また、このラベル剥がし器１を使用しないときには、円形刃１５の支持軸１７を、逆略Ｖ字形状２３の溝２１の中で逆方向（図中矢印Ｄ２）へ移動し、逆略Ｖ字形状２３の他方の辺部２７、すなわち円筒の略中心へ向かっていく辺部２７の先端２９に、嵌め込んで固定する。これにより、円形刃１５を後退して固定させ露出をなくすことで、安全が保たれる。
【００１７】
「実施形態の効果」
（１）回転しない円形刃１５で、大型ペットボトルに巻き付けられた帯状のラベルを横断するようにカットできるので、従来の包丁やカッターナイフ、先の尖った金属製の器具を用いる場合に比べ、ラベルを剥がす作業に手間がかからない。
【００１８】
（２）ラベル剥がし器１を冷蔵庫のドア等の壁面類に固定するので、固定が容易であり、使用しないラベル剥がし器１は、冷蔵庫のドア等から外し、他の収納場所に容易に収納できる。ラベル剥がし器１を固定するので、従来の包丁やカッターナイフ、先の尖った金属製の器具を用いる場合に比べ、ラベルが設けられた容器３３を両手で持てる。よって、容器の扱いが自由である。
【００１９】
また、使用しないときには、円形刃１５の支持軸１７を、逆略Ｖ字形状２３の溝２１の中で移動することで、円形刃１５を後退させ露出をなくせる。よって手にけがをしにくい。
（３）このラベル剥がし器１は、刃を回転するモーター、容器を回転するため複数のローラーなどが設けられておらず、装置が小型である。
（４）更に、曲面５から円形刃１５の一部が露出するので、曲面５に容器の表面を案内させつつ、露出する刃に、容器のラベルの部分を正確に押し当てることが容易である。そして、正確に押し当てた状態で、円形断面以外の断面形状の容器も、容器の断面形状に沿って人手で移動し回転させて動かすことが、曲面５に沿って円滑に、楽に行える。よって、円形断面以外の断面形状の容器も、容易に対応できる。
【００２０】
「他の実施形態」
以上の実施形態では、固定手段は、磁石１１であったが、他の実施形態では、固定手段は他の方法でもかまわない。例えば、木ねじにより、木製の壁などに固定するものでもよい。  以上の実施形態では、切替機構１９は、円形刃１５の支持軸１７の両端を、人手によって溝２１の中を移動することにより、円形刃１５をスリット１３から露出させたり後退させたりする構造を有するものであったが、他の実施形態では、他の構造でもかまわない。例えば、円形刃１５の支持軸１７の両端を、先端で支持するアームを曲面５の裏側に設け、このアームを前後に回転し、各回転状態でロックする構造にできる。アームを回動するレバーが、アームの回動軸に同軸に設けられ、本体３の外側に位置する。
そして、レバーにより、アームを前に回転した状態で、円形刃１５をスリット１３から露出させ、後ろに回転した状態で、円形刃１５をスリット１３から後退させる。
【００２１】
以上の実施形態では、円形刃１５と支持軸１７の回転を阻止するために、円形刃１５と一体の支持軸１７の両端を、逆略Ｖ字形状２３の一方の辺部２５の先端29に、嵌め込んで固定するものであった。
しかし、他の実施形態では、図４に示すように、より確実に回転を阻止するために、支持軸１７の略中央を嵌め込んで固定するものであってもよい。すなわち、スリット１３の下端部分の幅を、円形刃１５が露出できる分を残して、狭くし、段差部４１を形成する。また、円形刃１５の両側で支持軸１７には、スリット１３に嵌合する幅を有する四角断面の拡径部４３を形成する。
これにより、円形刃１５の支持軸１７を、逆略Ｖ字形状２３の溝２１の中で移動し（図中矢印Ｄ１）、逆略Ｖ字形状２３の一方の辺部２５の先端29まで移動すると、段差部４１へ支持軸１７の略中央の拡径部４３が嵌め込まれ固定が行われる。
【図面の簡単な説明】
【００２２】
【図１】この発明の一実施形態を示す全体斜視図である。
【図２】図1の内部を表す斜視図である。
【図３】図1の使用状態を表す側面図である。
【図４】この発明の他の実施形態を示す全体斜視図である。
【符号の説明】
【００２３】
１…ラベル剥がし器、３…本体、５…曲面、７…側面、９…背面、１１…磁石、１３…スリット、１５…円形刃、１７…支持軸、１９…切替機構、２１…溝、２３…逆略Ｖ字形状、２５…一方の辺部、２７…他方の辺部、２９…Ｖ字形状の端部、３１・・縦スペース、３３・・容器、３５・・ラベル、４１・・段差部、４３・・拡径部。
【図１】
2010036289.tif 000003
【図２】
2010036289.tif 000004
【図３】
2010036289.tif 000005
【図４】
2010036289.tif 000006